(57)【要約】【課題】高価な遠隔集中制御式の配電システムではなくて、多数の客室の利用状況に応じて設備の電源をこまめに入れ切れして節電を促進することができて、火災などの非常事態の発生時の安全対策にも配慮した安価に実施可能なカラオケ集合店舗の配電システムを提供する。【解決手段】各客室の制御盤３には、人感センサ１２の検出信号が入力されていない状態では照明器具給電線５と換気扇給電線７と第２コンセント給電線１０への給電を遮断する第１遮断系と、非常信号が入力されたときに第２コンセント給電線１０への給電を遮断する第２遮断系とが含まれている。第１コンセント８には常時給電される。【選択図】　　　図１
2004048162.tif 000002
【特許請求の範囲】
【請求項１】
カラオケ集合店舗の分電盤からの給電線が接続された各客室ごとの制御盤と、制御盤から客室の照明器具に配線された照明器具用給電線と、制御盤から客室の換気扇に配線された換気扇用給電線と、制御盤から客室のカラオケ機器用の第１コンセントに配線された第１コンセント給電線と、制御盤から客室のカラオケ機器用の第２コンセントに配線された第２コンセント給電線と、客室内に存在する人に感応する検出信号を制御盤に入力するように配線された人感センサと、カラオケ集合店舗の火災感知器などの信号源からの非常信号を各客室の制御盤に入力する非常信号配線とを備え、各客室の制御盤には、人感センサの検出信号が入力されていない状態では照明器具給電線と換気扇給電線と第２コンセント給電線への給電を遮断する第１遮断系と、非常信号が入力されたときに第２コンセント給電線への給電を遮断する第２遮断系とが含まれていることを特徴とするカラオケ集合店舗の配電システム。
【請求項２】
請求項１において、カラオケ集合店舗の適宜場所に換気扇リモコンスイッチが設置され、そのスイッチ信号が各客室の制御盤に入力されるように配線され、制御盤には、第１遮断系の状態に係わらず前記スイッチ信号に応答して換気扇給電線への給電を入れ切れする回路系が含まれていることを特徴とするカラオケ集合店舗の配電システム。
【請求項３】
請求項１において、制御盤から客室の非常灯に給電する非常灯用給電線を備え、制御盤には、非常信号が入力されたときに非常灯用給電線に給電する回路系が含まれていることを特徴とするカラオケ集合店舗の配電システム。
【発明の詳細な説明】
【０００１】
【発明の属する技術分野】
この発明は、カラオケボックスと通称されているカラオケ集合店舗の配電システムに関し、とくに、できるだけ簡単で安価なシステム構成で節電性能や安全性を向上させる技術に関する。
【０００２】
【発明の背景】
５０以上も客室があるような大規模なカラオケ集合店舗では、各客室の利用状況に合わせて、客室の電気設備（照明、換気扇、カラオケ機器）の電源をこまめに入れ切れすることが、節電対策として大切なことである。この節電作業を簡単に行えるようにするには、カラオケ集合店舗のフロントにおいて、各客室の電気設備の電源をリモコンスイッチ（遠隔操作スイッチ）で個別に入れ切れできるように構成すればよい。しかし、そのように構成するには配電線系統と遠隔操作系統の設備が複雑で大規模になり、工事費がきわめて高くなるという問題がある。
【０００３】
カラオケ集合店舗の配電システムについては、近辺で火災などの非常事態が発生したときの安全対策も考えなければならない。防音構造の客室内でカラオケの大音響が発生しているので、近辺で非常ベルが鳴っても室内の利用者がこれに気づかない可能性が高い。そこで、非常事態の発生時に自動的にカラオケ機器の使用を緊急停止させることが望ましいが、緊急停止させることでカラオケ機器が故障してしまうのでは大損失になる。
【０００４】
【発明の開示】
この発明の目的は、高価な遠隔集中制御式の配電システムではなくて、多数の客室の利用状況に応じて設備の電源をこまめに入れ切れして節電を促進することができて、火災などの非常事態の発生時の安全対策にも配慮した安価に実施可能なカラオケ集合店舗の配電システムを提供することにある。
【０００５】
この発明に係る配電システムは、カラオケ集合店舗の分電盤からの給電線が接続された各客室ごとの制御盤と、制御盤から客室の照明器具に配線された照明器具用給電線と、制御盤から客室の換気扇に配線された換気扇用給電線と、制御盤から客室のカラオケ機器用の第１コンセントに配線された第１コンセント給電線と、制御盤から客室のカラオケ機器用の第２コンセントに配線された第２コンセント給電線と、客室内に存在する人に感応する検出信号を制御盤に入力するように配線された人感センサと、カラオケ集合店舗の火災感知器などの信号源からの非常信号を各客室の制御盤に入力する非常信号配線とを備え、各客室の制御盤には、人感センサの検出信号が入力されていない状態では照明器具給電線と換気扇給電線と第２コンセント給電線への給電を遮断する第１遮断系と、非常信号が入力されたときに第２コンセント給電線への給電を遮断する第２遮断系とが含まれていることを特徴とするものである。
【０００６】
この発明においては、以上の構成に加えて、つぎの（１）や（２）の構成を備えることが望ましい。
（１）カラオケ集合店舗の適宜場所に換気扇リモコンスイッチが設置され、そのスイッチ信号が各客室の制御盤に入力されるように配線され、制御盤には、第１遮断系の状態に係わらず前記スイッチ信号に応答して換気扇給電線への給電を入れ切れする回路系が含まれている。
（２）制御盤から客室の非常灯に給電する非常灯用給電線を備え、制御盤には、非常信号が入力されたときに非常灯用給電線に給電する回路系が含まれている。
【０００７】
【発明の実施の形態】
この発明の一実施例によるカラオケ集合店舗の配電システムを図１と図２に示している。カラオケ集合店舗が入居している建物の何カ所かに分電盤１があり、周知のように分電盤１から屋内配線が分岐している。図１においては、カラオケ集合店舗の１つの客室の電気設備と分電盤１との関係が図示されている。
【０００８】
各客室には分電盤１からの給電線２が接続された制御盤３が設置されており、制御盤３からは、客室の照明器具４に配線された照明器具用給電線５と、客室の換気扇６に配線された換気扇用給電線７と、客室のカラオケ機器用の第１コンセント８に配線された第１コンセント用給電線９と、客室のカラオケ機器用の第２コンセント１０に配線された第２コンセント用給電線１１と、客室の非常灯１６に配線された非常灯給電線１７が引き出されている。
【０００９】
また、客室には人感センサ１２が設置されており、客室内に人が存在するときに人感センサ１２がこれに感応して検出信号を出力する。人感センサ１２は制御盤３に接続されており、その検出信号が制御盤３に入力される。
【００１０】
また、分電盤１から各客室の制御盤３に非常信号配線１３が連絡している。非常信号配線１３は、カラオケ集合店舗が入居している建物の要所要所に設置されている火災感知器や煙感知器などの信号源から非常信号が出力されたとき、その非常信号を各客室の制御盤３に入力するための配線である。
【００１１】
また、カラオケ集合店舗のフロント近くに換気扇リモコンスイッチ１４が配設されており、このスイッチ１４からのリモコン信号配線１５が分電盤１を経由して各客室の制御盤３に連絡している。
【００１２】
制御盤３の内部回路の構成例を図２に示している。第１コンセント用給電線９は分電盤１からの給電線２に直結している。第２コンセント用給電線１１は開閉器Ｓ１を介して、照明器具用給電線５は開閉器Ｓ２を介して、換気扇用給電線７は開閉器Ｓ３を介して、非常灯用給電線１７は開閉器Ｓ４を介して、それぞれ分電盤１からの給電線２に接続している。
【００１３】
開閉器Ｓ１〜Ｓ４は論理回路１８の出力により個別に制御される。論理回路１８は、人感センサ１２の検出信号と、火災感知器などの信号源から与えられる非常信号と、換気扇用リモコンスイッチ１４から与えられるリモコン信号とを入力とし、各開閉器Ｓ１〜Ｓ４を以下のように制御する。
【００１４】
第１コンセント８には常時給電されているが、ここにはカラオケ機器の本体装置（カラオケ専用のコンピュータ）の電源プラグを接続しておく。
開閉器Ｓ１は論理回路１８に非常信号が入力されたとき開路され、第２コンセント１０への給電を遮断する。カラオケ機器のオーディオアンプおよびディスプレイ装置（モニター）の電源プラグは第２コンセント１０に接続しておく。
そうすると、大音響でカラオケを楽しんでいる最中に火災などによる非常信号が伝達されると、オーディオアンプとディスプレイの電源がオフとなり、利用者に非常事態が発生したことがすぐに伝わる。また、カラオケ機器の本体装置の電源プラグは第１コンセント８に接続されていて電源は遮断されないので、突然の電源遮断によりコンピュータのハードディスクが故障するような事態は起きることはない。
開閉器Ｓ４は論理回路１８に非常信号が入力されたときに閉路され、このとき非常灯１６が点灯する。
【００１５】
論理回路１８に入力される換気扇リモコン信号が「強制作動」になっている場合、開閉器Ｓ３は閉路され、換気扇６が作動する。また、換気扇リモコン信号が「自動」になっている場合は、人感センサ１２の検出信号が論理回路１８に入力されているときに開閉器Ｓ３が閉路され、換気扇６が作動する。客室から人がいなくなって人感センサ１２の検出信号がなくなると、開閉器Ｓ３が開路され、換気扇６は停止する。
【００１６】
照明器具４の給電路に介在する開閉器Ｓ２は、人感センサ１２の検出信号があるときに閉路し、検出信号がなくなると開路する。つまり、客室に人が入ると照明器具４が点灯し、客室から人がいなくなると照明器具４は消灯する。
【００１７】
【発明の効果】
以上詳細に説明したように、この発明によれば、多数の客室の電気設備の電源の入れ切れをフロントなどで集中的に遠隔操作するような高い設備費のかかる構成を採用せずとも、客室の利用状況に応じて設備の電源をこまめに入れ切れして節電を促進することができる。また、火災などの非常事態の発生時に、カラオケ機器のオーディオアンプの電源を強制的に遮断して、大音響の発生を止めて室内の人に警告を与えることができ、しかもカラオケ機器の本体装置のコンピュータには電源を供給し続けることができるので、コンピュータのハードディスクが故障するような不都合も生じない。
【図面の簡単な説明】
【図１】この発明の一実施例に係るカラオケ集合店舗の配電システムの構成図である。
【図２】図１における制御盤の内部回路の構成図である。
【符号の説明】
１　分電盤
２　給電線
３　制御盤
４　照明器具
５　照明器具用給電線
６　換気扇
７　換気扇用給電線
８　第１コンセント
９　第１コンセント用給電線
１０　第２コンセント
１１　第２コンセント用給電線
１２　人感センサ
１３　非常信号配線
１４　換気扇リモコンスイッチ
１５　リモコン信号配線
１６　非常灯
１７　非常灯用給電線
１８　論理回路
Ｓ１〜Ｓ４　開閉器
【図１】
2004048162.tif 000003
【図２】
2004048162.tif 000004